(57)【要約】  雄型管状部材を内部に受け入れる1つの雌型管状部材に、少なくとも1つの雄型管状部材を接合するためのスナップ係合線形解放可能な結合システム。雌型管状部材は、雄型結合部材の1つまたは複数の保持タブを押圧して両方の結合部材の分離を実行するための手段を有する。【選択図】図１
2018520321.tif 000002
【特許請求の範囲】
【請求項１】
結合部材の間の解放可能な結合システムであって、
雄型結合部材であって、結合区画を有する少なくとも1つの壁と、前記少なくとも1つの壁の結合面に各々形成された1つまたは複数の保持タブであり、各保持タブは、前記結合面の表面に関してある角度で持ち上げられており、保持縁部を有する、保持タブとを有する、雄型結合部材と、
雌型結合部材であって、少なくとも1つの壁と、前記雄型結合部材の前記少なくとも1つの壁の前記結合面を受け入れて結合するための手段と、前記少なくとも1つの壁の中に形成される少なくとも1つの凹部または空間であって、各々が接触縁部を有する、少なくとも1つの凹部または空間と、各保持タブと関連付けられる、保持タブに力を加えるための1つまたは複数の手段であり、保持タブに力を加えるための各手段は、前記雌型結合部材の前記少なくとも1つの壁に依存し、それぞれの凹部または空間上に配置されている、保持タブに力を加えるための1つまたは複数の手段とを有する、雌型結合部材とを備え、
前記雄型結合部材は、前記雌型結合部材によって、前記雄型結合部材の前記少なくとも1つの壁の結合面を受け入れて結合する手段において受け入れられ、
前記タブの前記保持縁部が前記雌型結合部材の凹部または空間の前記接触縁部に達するまで、前記雄型結合部材の各保持タブは、前記雌型結合部材の前記少なくとも1つの壁の下で、瞬間的に緊密に屈曲して通過し、前記保持縁部が前記凹部または空間の前記接触縁によって保持されるように屈曲することなく通常の位置に戻り、それによって、前記雄型結合部材が前記雌型結合部材に接合され、
前記保持タブに力を加えるための各手段は対応する保持タブを瞬間的に押して屈曲することを可能にし、それにより、前記保持タブが、前記雌型結合部材の前記少なくとも1つの壁の下を通過し、引っ張られたときに前記雄型結合部材を前記雌型結合部材から分離することを可能にする、解放可能な結合システム。
【請求項２】
前記雄型結合部材の前記少なくとも1つの壁の前記結合区画を受け入れて結合する前記手段は、ハウジングを含む、請求項１に記載の解放可能な結合システム。
【請求項３】
前記雄型結合部材の前記少なくとも1つの壁の前記結合区画を受け入れて結合する前記手段は、溝を含む、請求項１に記載の解放可能な結合システム。
【請求項４】
前記雄型結合部材および前記雌型結合部材は、多角形断面を有する、請求項１に記載の解放可能な結合システム。
【請求項５】
前記雄型結合部材および前記雌型結合部材は、平坦な部材を含む、請求項１に記載の解放可能な結合システム。
【請求項６】
前記保持タブに力を加える手段は、前記少なくとも1つの壁の中に形成されたタブを備える、請求項１に記載の解放可能な結合システム。
【請求項７】
前記保持タブに力を加える手段は、前記少なくとも1つの壁に依存する機械的手段を備える、請求項1に記載の解放可能な結合システム。
【請求項８】
前記雄型結合部材は案内溝を有し、前記雌型結合部材は案内突起を有し、前記雌型結合管状部材の前記案内突起は前記案内溝内に受け入れられ、それによって前記管状結合部材が正しい配置で接合されることが保証される、請求項１に記載の解放可能な結合システム。
【請求項９】
多角形断面および長手方向軸を有する雄型結合管状部材であって、前記雄型結合管状部材は、第1の端部と、第2の端部と、前記第1の端部に近接し、前記雄型結合管状部材の前記第2の端部に向けられている保持タブであり、前記保持タブは、前記雄型結合管状部材の長手方向軸に平行に向けられた長手方向軸を有する、保持タブと、保持縁部とを備え、前記保持タブは、前記第1の壁の表面から上向きのある角度で持ち上げられており、前記雄型結合管状部材は、第2の壁の前記第1の端部で始まる案内溝をさらに含む、雄型結合管状部材と、
雌型結合管状部材であって、多角形断面および長手方向軸を有し、前記雌型結合管状部材は、第1の開放端と、第2の閉鎖端と、第1の壁内に形成された矩形開口と、前記雌型結合管状部材の長手方向軸に平行な長手方向軸を有する、第1の壁に直接的に依存し、前記開放端に向けられているタブを含む、前記雄型結合部材の前記保持タブを押圧する手段とを備え、前記タブは、上面と下面とを有し、前記下面は、前記矩形開口を通過することができる、前記矩形開口上に位置する突起を有し、前記雌型結合管状部材は、前記案内溝と同等の長さを有する前記雌型結合管状部材の前記第2の閉鎖端で始まる案内突起を有する、雌型結合管状部材とを備え、
前記雄型結合管状部材が、前記開放端を通じて前記雌型結合管状部材の内部に受け入れられると、前記保持縁部が前記雌型結合管状部材）の前記矩形開口の縁部に達するまで、前記保持タブは瞬間的に屈曲し、したがって、前記保持タブが、前記矩形開口の前記縁部によって保持されるように通常位置まで戻ることが可能になり、したがって、両方の結合部材の取り付けおよび固定が完了し、
前記雌型結合管状部材の前記案内突起は、前記案内溝内に受け入れられ、それにより、前記保持タブが前記矩形開口に関して正確に配置され、前記雄型結合管状部材の前記第1の端部の壁の1つの縁部が前記案内突起に当接するときに、前記管状部材の別の配置における取り付けを許容しない状態で、前記管状結合部材が正確な配置で接合されることが保証され、
前記保持タブを押圧する前記手段の前記タブは、前記保持タブを瞬間的に屈曲させるために前記保持タブを押す突起によって、前記保持タブの前記上面に向かって力を及ぼし、前記保持縁部が前記矩形開口の前記縁部から分離することを可能にし、したがって、前記雄型結合管状部材を引っ張って、前記管状雌型結合部材の外側への前記雄型結合管状部材の分離を実行する、請求項１に記載の解放可能な結合システム。
【請求項１０】
平坦な雄型結合部材であって、長手方向軸と、壁と、保持縁部を有する保持タブとを有し、前記保持タブは前壁の中に形成され、前記壁に対してある角度で持ち上げられており、前記保持タブは、前記雄型結合部材の長手方向軸に平行な長手方向軸を有する、平坦な雄型結合部材と、
平坦な雌型結合部材であって、長手方向軸と、第1の表面と、第2の表面と、前記平坦な雄型結合部材を受けいれるための、両方の表面の間の平坦な空洞と、前記第1の表面内に形成されている溝と、前記雌型結合部材の長手方向軸に平行な長手方向軸を有する、前記第1の表面に依存するタブを備える、前記雄型結合部材の前記保持タブを押す手段とを有し、前記タブは上面および下面を有し、前記下面は、前記溝の直上に位置し、前記溝を通過することができる突起を有する、平坦な雌型結合部材とを備え、
前記雄型結合部材が、前記雌型結合部材の前記平坦な空洞内に受け入れられると、前記保持タブの前記保持縁部が前記雌型結合部材の前記溝の前記縁部に達するまで、前記雄型結合部材の前記保持タブが前記雌型部材の前記第1の表面の直下を通過して、瞬間的に屈曲し、したがって、前記保持縁部が、前記雌型結合要素の陥凹領域または中空領域の縁部と接触するように、前記保持タブが通常位置まで戻り、したがって、前記雌型結合部材との前記雄型結合部材の取り付けが完了し、
前記保持タブを押圧するための前記手段の前記タブの前記突起は、前記突起によって前記保持タブの前記上面に向かって力を加えることを可能にし、これによって、前記保持タブが押されて瞬間的に屈曲され、前記保持縁部が前記雌型結合部材の前記溝の前記縁部から分離することが可能にされ、したがって、前記雄型結合部材が引っ張られて、前記雌型結合部材の外側への前記雄型結合部材の分離が実行される、請求項１に記載の解放可能な結合システム。
【請求項１１】
2つ以上の結合部材を中央接続要素に結合して、2つ以上の追加の結合部材のための「接続中心部」を形成することができる、請求項１に記載の解放可能な結合システム。
【発明の詳細な説明】
【技術分野】
【０００１】
本発明は、いくつかの結合部材または部品の相互の取り付けおよび瞬間的な固定を可能にするスナップ係合結合システムに関し、1つの雄型結合管状部材または部品の1つまたは複数の保持タブが、別の雌型結合部材のガイドまたは部品の受け入れ空洞に入るように屈曲し、保持タブは、少なくとも1つの雄型管状部材を、雄型管状部材を内部に受け入れる1つの雌型管状部材に接合するために係合し、より詳細にはスナップ係合線形結合システムによって係合し、雌型管状部材は、雄型結合部材の１つまたは複数のタブを押圧し、両方の結合部材の分離を実行するための手段を有する。
【背景技術】
【０００２】
近年の間に、家具、棚、家庭、オフィス、病院、学校の備品などの輸送にとって、出荷コストを低くするために部品に分解して出荷することが最良であるが、これによって、これらの構成要素のユーザは、ねじおよびナット、組み立て補助品、粘着剤または接着剤のような接合要素を用いて部品を組み立てることになり、かつ／または、多くの場合複雑で、このタスクを実行するための資格を有する人員を必要とする、組み立てのための、温度システム、ツールおよび取扱説明書を用いて結合装置を使用することになることが分かっている。
【０００３】
上述の問題を解決するために、特にプラスチック材料の様々な管状結合部材を互いに瞬間的に接合し固定するのに一般的に使用される非常に多様なスナップ接合システムが開発されている。これは、プラスチック材料が、スナップ係合アタッチメントの係合突起が一時的に屈曲して別の管状部材の係合レセプタクルに挿入されることを可能にし、その可撓性のために特に適しているためである。
【０００４】
当該技術分野に存在する解放可能な結合システムは、多種多様な製品の組み立てを完全に容易にするが、それらの分解を可能にせず、またはそれらを簡単かつ迅速に分解する方法を提供しない。この方法は、ある場所から別の場所に移送する必要のある可搬性の製品にとって非常に有用である。
結合部材の分離を可能にするいくつかの結合システムは、様々な従来技術の文献に記載されている。
【０００５】
例えば、米国特許第832,284号明細書は、ロック解除手段を記載しているが、これらは、直線的に接続しない非管状部材を固定するためのフック型固定部材に作用する。
一方、欧州特許出願公開第1319882号明細書は、取り外し可能な固定手段に直線状に結合された管状部材を示しているが、取り外し可能な固定部材は、フック型であり、フック部材を直接押圧することによってロック解除が得られるため、ロック解除手段を含まない。
【０００６】
米国特許第5,575,399号明細書、米国特許第5,931,514号明細書および米国特許第8,648,264号明細書は、保持タブにアクセスしてそれを押圧し雌型手段からロック解除するための手段を含むスナップ接合取り外し可能固定手段を開示しているが、保持タブを押圧するためのロック解除手段を開示していない。さらに、上記固定手段は、非直線状に接続された非管状部材に用いられる。
【発明の概要】
【課題を解決するための手段】
【０００７】
迅速かつ容易に組み立ておよび分解する必要のある可搬性または非可搬性の製品を組み立てる必要性、ならびに、直線的に接合する結合部材を含めることを考慮して、本出願人は、雄型管状部材を内部に受け入れる1つの雌型管状部材に、少なくとも1つの雄型管状部材を接合するためのスナップ係合線形解放可能な結合システムを開発した。雌型管状部材は、雄型結合部材の１つまたは複数の保持タブを押圧して両方の結合部材の分離を実行するための手段を有する。
【０００８】
本発明の解放可能な結合システムは、例えば、表面および4つの脚からなるテーブルのような可搬性または非可搬性の製品に組み込むことができ、テーブルの組み立ておよび分解に必要な時間は、従来の組み立て方法と比較して最大90％まで短縮することができる。本発明の解放可能結合システが用いられ、テーブルの各脚およびテーブルのコーナに組み込まれ、各脚が結合される、本発明の解放可能な結合システムが使用される場合の約2〜4分に比べて、従来の組み立て方法が使用される場合、使用者は、テーブルを組み立てるのに約30分かかる場合がある。
【０００９】
発明の概略
それゆえ、本発明の主な目的は、雄型管状部材を内部に受け入れる1つの雌型管状部材に、少なくとも１つの雄型管状部材を接合するためのスナップ係合線形解放可能な結合システムを提供することである。雌型管状部材は、雄型結合部材の1つまたは複数の保持タブを押圧して両方の結合部材の分離を実行するための手段を有する。
【００１０】
本発明のさらなる目的は、例えば、複合テーブルのような可搬性または非可搬性の製品に組み込むことができる、上記の性質の解放可能な結合システムを提供することである。
本発明のさらなる主要な目的は、本発明の結合システムを組み込んだ製品の組み立ておよび分解の時間を最大90％短縮することができる上記の性質の解放可能な結合システムを提供することである。
【００１１】
本発明の解放可能な結合システムのこれらおよび他の目的および利点は、添付の図面を参照してなされ、本発明の真の範囲内に入るものである本発明の実施形態の以下の詳細な説明から、当業者には明らかになるであろう。
【図面の簡単な説明】
【００１２】
【図１】図１は、第1のビューが両方の結合部材を分解した状態を示し、第2のビューが、両方の部材のある部分の内部を示しているいくつかの透明部分を有する両方の結合部材を分解した状態を示し、第3のビューが両方の部材のある部分の内部を示しているいくつかの透明部分を有する両方の結合部材を組み立てた状態を示す、四角形断面管状部材を有する本発明の解放可能な結合システムの第1の実施形態を示す3つの斜視図である。
【図２】図２は、第1のビューが両方の結合部材を分解した状態を示し、第2のビューが、両方の部材のある部分の内部を示しているいくつかの透明部分を有する両方の結合部材を分解した状態を示し、第3のビューが両方の部材のある部分の内部を示しているいくつかの透明部分を有する両方の結合部材を組み立てた状態を示す、四角形断面管状部材を有する本発明の解放可能な結合システムの第2の実施形態を示す3つの斜視図である。
【図３】図３は、第1の端部によって接続要素に接合され、これにより2つ以上の雄型結合部材を直角に接続する接続中心部を形成する、2つ以上の雌型結合部材の7つの斜視図である。
【図４】図４は、第1のビューが両方の結合部材を分解した状態を示し、第2のビューが、両方の部材のある部分の内部を示しているいくつかの透明部分を有する両方の結合部材を分解した状態を示し、第3のビューが両方の部材のある部分の内部を示しているいくつかの透明部分を有する両方の結合部材を組み立てた状態を示す、平坦な「L」字形状の断面の管状部材を有する本発明の解放可能な結合システムの第3の実施形態を示す3つの斜視図である。
【図５】図５は、第1のビューが両方の結合部材を分解した状態を示し、第2のビューが、両方の部材のある部分の内部を示しているいくつかの透明部分を有する両方の結合部材を分解した状態を示し、第3のビューが両方の部材のある部分の内部を示しているいくつかの透明部分を有する両方の結合部材を組み立てた状態を示す、平坦な「L」字形状の断面の管状部材を有する本発明の解放可能な結合システムの第4の実施形態を示す3つの斜視図である。
【図６】図６は、第1のビューが、両方の部材のある部分の内部を示しているいくつかの透明部分を有する両方の結合部材を組み立てた状態を示し、第2のビューおよび第3のビューが両方の部材のある部分の内部を示しているいくつかの透明部分を有する両方の結合部材を分解した状態を示す、三角形の平坦な断面の管状部材を有する本発明の解放可能な結合システムの第5の実施形態を示す3つの斜視図である。
【図７】図７は。円形の断面の管状部材が分解された状態の本発明の解放可能な結合システムの第6の実施形態の斜視図である。
【図８】図８は、円形の断面の管状部材が分解された状態の本発明の解放可能な結合システムの第7の実施形態の斜視図である。
【図９】図９は、第1のビューが、両方の結合部材を分解した状態を示し、第2のビューが雌型結合部材のある部分の内部を示しているいくつかの透明部分を有する両方の結合部材を分解した状態を示す、三角形の平坦な断面の管状部材を有する本発明の解放可能な結合システムの第8の実施形態を示す2つの斜視図である。
【図１０】図１０は、第1のビューが両方の結合部材を分解した状態を示し、第2のビューが、両方の部材のある部分の内部を示しているいくつかの透明部分を有する両方の結合部材を分解した状態を示し、第3のビューが両方の部材のある部分の内部を示しているいくつかの透明部分を有する両方の結合部材を組み立てた状態を示す、長円形断面の管状部材を有する本発明の解放可能な結合システムの第9の実施形態を示す3つの斜視図である。
【図１１】図１１は、第1のビューが両方の結合部材を分解した状態を示し、第2のビューが、両方の部材のある部分の内部を示しているいくつかの透明部分を有する両方の結合部材を分解した状態を示し、第3のビューが両方の結合部材のある部分の内部を示しているいくつかの透明部分を有する両方の結合部材を組み立てた状態を示す、矩形形状の断面の管状部材を有する本発明の解放可能な結合システムの第10の実施形態を示す3つの斜視図である。
【発明を実施するための形態】
【００１３】
ここで、本発明の解放可能な結合システムを、その一般的な実施形態に関して以下に説明する。
解放可能な結合システムは、
結合面を有する少なくとも1つの壁と、少なくとも1つの壁の結合面に各々形成された1つまたは複数の保持タブであって、各保持タブは、結合面の表面に関してある角度で持ち上げられており、保持縁部を有する、保持タブとを有する、雄型結合部材と、
雌型結合部材であって、少なくとも1つの壁と、雄型結合部材の少なくとも1つの壁の結合面を受け入れて結合するための手段と、少なくとも1つの壁の中に形成される少なくとも1つの凹部または空間であって、各々が接触縁部を有する、少なくとも1つの凹部または空間と、各保持タブと関連付けられる、保持タブに力を加えるための1つまたは複数の手段であり、保持タブに力を加えるための各手段は、雌型結合部材の少なくとも1つの壁に依存し、それぞれの凹部または空間上に配置されている、保持タブに力を加えるための1つまたは複数の手段とを有する、雌型結合部材とを備え、
雄型結合部材は、雌型結合部材によって、雄型結合部材の少なくとも1つの壁の結合面を受け入れて結合する手段において受け入れられ、
上記タブの保持縁部が雌型結合部材の凹部または空間の接触縁部に達するまで、雄型結合部材の各保持タブは、雌型結合部材の少なくとも1つの壁の下で、瞬間的に緊密に屈曲して通過し、上記保持縁部が凹部または空間の接触縁によって保持されるように屈曲することなく通常の位置に戻り、それによって、雄型結合部材が雌型結合部材に接合され、
保持タブに力を加えるための各手段は対応する保持タブを瞬間的に押して屈曲することを可能にし、それにより、上記保持タブが、雌型結合部材の少なくとも1つの壁の下を通過し、引っ張られたときに雄型結合部材を雌型結合部材から分離することを可能にする。
【００１４】
図１に示す本発明の第1の実施形態では、本発明の解放可能な結合システムは、
四角形断面および長手方向軸を有する雄型結合管状部材（1）を備え、雄型結合管状部材（1）は、第1の端部（2）および第2の端部（3）と、第1の側壁（4）と、第2の側壁（5）と、第1の長手方向壁（6）と、第2の長手方向壁（7）と、第1の端部（2）に近接して第1の長手方向壁（6）内に形成され、雄型結合管状部材（1）の第2の端部に向けられた保持タブ（8）であって、上記保持タブ（8）は、管状結合部材（1）の長手方向軸に平行に向けられた長手方向軸を有する、保持タブ（8）と、保持縁部（9）とを有し、上記保持タブ（8）は、第1の長手方向壁（6）の表面から上方に向けられたある角度で持ち上げられている。上記管状結合部材は、第2の長手方向壁（7）の第1の端部（2）で始まる案内溝（B）をさらに含み、
雌型結合管状部材（10）が、四角形断面および長手方向軸を有し、雌型結合管状部材（10）は、第1の開放端（11）と、第2の閉鎖端（12）と、第1の側壁（13）および第2の側壁（14）と、第1の長手方向壁（15）と、第2の長手方向壁（16）と、第1の長手方向壁（15）内に形成された矩形開口（17）と、雌型結合部材（10）の長手方向軸に平行な長手方向軸を有する、第1の長手方向壁（15）に直接的に依存する矩形クリップ形状部材（18）を含む、雄型結合部材（1）の保持タブ（8）を押圧する手段とを備え、上記矩形クリップ（18）は、上面と下面とを有し、上記下面は、上記矩形開口（17）を通過することができる、矩形開口（17）上に位置する突起（19）を有し、上記雌型結合管状部材（10）は、案内溝（B）と同等の長さを有する雌型結合管状部材（10）の第2の閉鎖端（12）で始まる案内突起（A）を有し、
雌型結合管状部材（10）の断面サイズは、雄型結合管状部材（1）が雌型結合管状部材（19）内に直線的に緊密に受け入れられることを可能にし、
雄型結合管状部材（1）が、その開放端（11）を通じて雌型結合管状部材（10）の内部に受け入れられると、保持縁部（9）が雌型結合管状部材（10）の矩形開口（17）の縁部に達するまで、保持タブ（8）は瞬間的に屈曲し、したがって、保持タブ（8）が、矩形開口（17）の縁部によって保持されるようにその通常位置まで戻ることが可能になり、したがって、両方の部材の取り付けおよび固定が完了し、
管状結合部材の案内突起（A）は、案内溝（B）内に受け入れられ、それにより、保持タブ（8）が矩形開口（17）に関して正確に配置され、雄型結合管状部材（1）の第1の端部（2）の壁の1つの縁部が上記案内縁部（A）に当接するときに、管状結合部材の別の配置における取り付けを許容しない状態で、管状結合部材が正確な配置で接合されることが保証され、
保持タブ（8）を押圧する手段の矩形クリップ（18）は、保持タブ（8）を瞬間的に屈曲させるために保持タブ（8）を押す突起（19）によって、保持タブ（8）の上面に向かって力を及ぼし、保持縁部（9）が矩形開口（17）の縁部から分離することを可能にし、したがって、雄型結合管状部材（1）を引っ張って、雌型結合管状部材（10）の外側への雄型結合管状部材（1）の分離を実行する。
【００１５】
図２は、保持タブ（8）を押圧するための手段が、雌型結合管状部材（10）の長手方向軸に平行に配置された長手方向軸を有する、雌型結合管状部材（10）の第1の長手方向壁（15）内に形成されたタブ（20）を含むことを除いて、第1の実施形態と同様の第2の実施形態を示す。上記タブ（20）は、開放端（11）に向かって長手方向に向けられ、上面および下面を有し、上記下面は、両者が正確に結合されているときに雄型結合管状部材（1）の保持タブ（8）の端部と一致する上記タブ（20）の端部に位置する突起部（21）を有する。
【００１６】
図３に示すような他の実施形態では、1つまたは複数の雌型結合管状部材（22）を中央接続要素（23）に接合して、1つまたは複数の雄型結合部材のための「接続中心部」を形成することができる。このような実施形態では、各雌型結合管状部材（22）は、対応する雄型結合部材を堅固にかつ正確に受け入れるのに必要な長さを有する。雌型結合管状部材（22）の開放端は、雄型結合管状部材の挿入を可能にし、雌型結合部材（22）の閉鎖端は、中央接続要素（23）によって任意の角度において他の雌型結合部材（22）に接合されることを可能にする。
【００１７】
そのような実施形態は、例えば、棚または本棚の場合のように、いくつかの雄型結合部材の接合を必要とする製品に適用される場合に有用であり得る。
同様に、１つまたは複数の雄型結合管状部材を中央接続要素に接合して、1つまたは複数の雌型結合管状部材のための「接続中心部」を形成してもよい。
図1に示す第1の実施形態では、結合部材の断面が四角形であると説明されているが、両方の結合部材は対応する断面において任意の形状を有することができ（円形、三角形、矩形、平坦、平坦な長円形、楕円形、角度プロファイルなど）、適切な任意のタイプの材料で作成することができることが理解されるべきである。
したがって、結合部材を完全に平坦にすることができる実施形態があってもよく、この場合、雄型結合部材を雌型結合部材内に形成されたガイドに受け入れることができる。
【００１８】
さらに、保持タブ（8）を押すための手段は、管状雌型結合部材の壁内に形成された矩形クリップ形状部材（18）またはタブ（20）を備えると説明したが、保持タブ（8）を押すための手段は、保持タブ（8）を押すまたは押圧するための任意のタイプの手段を備えることができることが理解されるべきであり、当該手段は、雌型結合管状部材の壁の1つに依存し、当該押すまたは押圧するための手段が上記保持タブ（8）を押すことができることを可能にするように配置される。同様に、保持タブ（8）を押すまたは押圧するための手段は、ユーザが手動で、またはエンジン、シリンダ、磁気システムなどの、押すための自動手段を使用して圧力を加えることを可能にするように設計することができる。
【００１９】
管状結合部材は、管状プロファイルのための結合部材、開いたプロファイルのための結合部材、または、上記のような中央接続要素、または任意の形状を有する任意の他の結合部材のような、その第2の端部に依存する任意の要素を有することができる。
以上の説明から、雄型結合管状部材と雌型結合管状部材とは直線的に結合されているが、管状結合部材の第2の端部に接合された、またはこれに依存する要素は、管状結合部材に関する任意の角度または構成において配置することができることが理解されるべきである。
本発明の一般的な実施形態の説明は、以下に説明する図４〜図１１に示すような本発明の他の実施形態を含む十分な範囲を提供することを理解されたい。
【００２０】
図４は、本発明の第3の実施形態を示し、これは、
長手方向軸と、第1の表面および第2の表面を有する第1の矩形部分（25）と、第1の表面および第2の表面を有する第2の矩形部分（26）とを有する、「L」字形角度プロファイル形状雄型結合部材（24）を備え、両方の矩形部分は、それらの間に90°の角度を成して配置されており、第1の矩形部分（25）は、保持縁部（28）を有する保持タブ（27）を有し、上記保持タブ（27）は上記第1の矩形部分（25）内に形成されており、上記第1の矩形部分（25）の端部に近接して配置されており、第1の矩形部分（25）の第1の表面上である角度で持ち上げられている。上記保持タブ（27）は、雄型結合部材（24）の長手方向軸に平行な長手方向軸を有する。
【００２１】
「L」字形角度プロファイル形状雄型結合部材（29）は、長手方向軸と、「L」字形角度プロファイル形状雄型結合部材（24）の一部または全部を受け入れるための「L」字形空洞（30）を有し、第1の表面および第2の表面を有する第1の矩形部分（31）と、第1の表面および第2の表面を有する第2の矩形部分（32）と、第1の矩形部分（31）の第1の表面内に形成された溝（33）と、雄型結合部材（24）の保持タブ（27）を押す手段とを有し、押す手段は、雌型結合部材（29）の長手方向軸に平行な長手方向軸を有する、第1の矩形部分（31）の第1の表面に依存する矩形クリップ形状部材（34）を備え、上記矩形クリップ形状部材（34）は上面および下面を有し、上記下面は、上記溝（33）の直上に位置し、上記溝（33）を通過することができる突起（35）を有し、
雄型結合管状部材（24）が、雌型結合部材（29）の空洞（30）内に受け入れられると、保持タブ（27）の保持縁部（28）が雌型結合部材（29）の溝（33）の縁部に達するまで、雄型結合部材（29）の保持タブ（27）が雌型要素（29）の第1の矩形部分（31）の第1の表面の直下を通過して瞬間的に屈曲し、保持縁部（28）が、雌型要素の陥凹領域または中空領域（33）の縁部と接触するように、上記保持タブ（27）がその通常位置まで戻り、したがって、雌型結合部材（29）との雄型結合部材（24）の取り付けが完了し、
保持タブ（27）を押圧するための手段の矩形クリップ形状部材（34）の突起（35）は、突起（35）によって保持タブ（27）の上面に向かって力を加えることを可能にし、これによって、保持タブ（27）が押されて瞬間的に屈曲され、保持縁部（28）が溝（33）の縁部から分離することが可能にされ、したがって、雄型結合部材（24）が引っ張られて、雌型結合部材（29）の外側への雄型結合部材（24）の分離が実行される。
【００２２】
図５は、図４に示す第3の実施形態と同様の第4の実施形態を示しているが、雄型結合部材（24）の保持タブ（27）を押すための手段が、雌型結合部材（29）の第1の矩形部分（31）の第1の表面内に形成されたフランジ（36）を備える点が異なっており、上記フランジ（36）は、その下面内に突起（37）を有し、上記突起（37）は、雌型結合部材（29）内に正確に挿入されたときに、雄型結合部材（24）の保持タブ（27）の端部と一致するように、上記フランジ（36）の1つの端部内に配置されている。上記フランジ（36）は、雌型結合部材（29）の長手方向軸に平行な長手方向軸を有し、「L」字形空洞（30）に向けられている。
【００２３】
図６は、図１に示した第1の実施形態と同様の本発明の第5の実施形態を示しているが、雄型結合管状部材（38）および雌型結合管状部材（39）が三角形の断面を有する点が異なっている。
【００２４】
図７は、図２に示された本発明の第2の実施形態に類似する本発明の第6の実施形態を示しているが、以下の点が異なる。
雄型結合管状部材（40）は円形断面を有する。
雌型結合管状部材（41）は円形断面を有する。
雄型結合管状部材（41）は、第1の保持タブ（42）および第2の保持（43）を有し、これらは両方とも、それらの保持縁部が互いに向き合うように、雄型結合部材（40）の長手方向軸に関してその断面が配向されている。
雄型結合管状部材（40）が雌型結合管状部材（41）の内部に受け入れられると、各保持タブ（42、43）の保持縁部が雌型結合管状部材（41）の矩形開口の縁部に達するまで、雄型結合管状部材（40）の第1の保持タブ（42）および第2の保持タブ（43）が雌型結合管状部材（41）の周壁の下を通過して、瞬間的に屈曲され、それによってその後、保持縁部が、雌型結合部材（41）の矩形開口の縁部と接触するように、2つの保持タブ（42、43）がその通常位置まで戻り、したがって、雌型結合部材（41）との雄型結合部材（40）の取り付けおよび固定が完了する。
雄型結合部材（40）の保持タブ（42，43）を押圧する手段は、雌型結合部材（41）の周壁に依存し、雌型結合部材（41）の長手方向軸に平行な長手方向軸を有する矩形タブ（44）を備える。両保持タブ（42，43）を瞬間的に屈曲させ、したがって、両保持タブ（42，43）の保持縁部が、雌型結合部材（41）の矩形開口の縁部に関して異なる面を通過することを可能にするために、矩形タブ（44）の下面が、各保持タブ（42、43）を押圧するように、上記矩形タブ（44）は、ユーザが、各保持タブ（42、43）の上面に力を加えることを可能にし、これによって、ユーザは、雌型結合部材（41）に対して雄型結合部材（40）を引っ張ることが可能になり、したがって、2つの保持タブ（42，43）が雌型結合部材（41）の周壁の下を通過し、それによって、雄型結合部材（40）が雌型結合部材（41）から分離することが可能になる。
【００２５】
図８は、図７に示す第6の実施形態と同様の第7の実施形態を示しているが、雄型結合部材（49）の保持タブ（47，48）を押圧する手段が、矩形タブ（45）を備える点が異なっており、矩形タブは、雌型結合部材（46）の周壁に依存し、雌型結合部材（46）の長手方向軸に垂直に向けられた長手方向軸を有する。すなわち、上記矩形タブ（45）は、雌型結合部材（46）の断面内に配置されている。両保持タブ（47，48）を瞬間的に屈曲させ、したがって、両保持タブ（47，48）の保持縁部が、雌型結合部材（46）の矩形開口の縁部に関して異なる面を通過することを可能にするために、矩形タブ（45）の下面が、各保持タブ（47、48）を押圧するように、上記矩形タブ（45）は、ユーザが、各保持タブ（47、48）の上面に力を加えることを可能にし、これによって、ユーザは、雌型結合部材（46）に対して雄型結合部材（49）を引っ張ることが可能になり、したがって、2つの保持タブ（47，48）が雌型結合部材（46）の周壁の下を通過し、それによって、雄型結合部材（49）が雌型結合部材（46）から分離することが可能になる。
【００２６】
図９は、本発明の第8の実施形態を示しており、これは、
周壁と、長手方向軸と、円形断面と、第1の端部（D）と、第2の端部（S）とを有する雄型結合管状部材（50）を備える。上記雄型結合管状部材（50）は、周壁内で第1の端部（F）に近接して、雄型結合部材（50）の長手方向軸に平行な長手方向軸を有し、第2の端部（S）に向けられている、T字形保持タブ（51）を含む。上記保持タブ（51）は、第1の細長い長手方向区画（52）と、第1の細長い長手方向区画（52）に依存する第2の四角形交差区画（53）とを有し、上記第2の四角形交差区画（53）は、雄型結合部材（50）の第2の端部（S）に向けられ、雄型結合管状部材（50）の周壁の表面上のある角度で持ち上げられた保持縁部（54）を有し、上記雄型結合管状部材（50）は、雄型結合管状部材（50）の第1の端部（F）から始まり、少なくとも、雌型結合部材（55）の長さと類似の長さを有する、周壁の外面上の細長い溝を含み、
雌型結合管状部材（55）は、長手方向軸と、円形断面と、第1の開放端（56）と、第2の閉鎖端（57）とを有する。上記雌型結合管状部材（55）は、雌型結合管状部材（55）の周壁内に形成された矩形開口（58）と、雌型結合管状部材（55）の長手方向軸に平行な長手方向軸、上面および下面を有するタブ（59）を備える、雄型結合管状部材（50）の保持タブ（51）を押す手段とを有し、上記タブ（59）の端部は雌型結合部材（55）の下壁内に位置する突起（60）を有し、上記雌型結合管状部材（55）は、雌型結合管状部材（55）の第2の閉鎖端（57）で始まり、雌型結合管状部材（55）の長さ全体を通じて延伸する、周壁の内面状の細長い案内部材（C）を有し、
雌型結合管状部材（55）の断面サイズは、雄型結合管状部材（50）が内部に緊密に受け入れられることを可能にし、
雄型結合管状部材（50）が、その開放端（56）を通じて雌型結合管状部材（55）の内部に受け入れられると、保持縁部（54）が雌型結合管状部材（55）の矩形開口（58）の縁部に達するまで、保持タブ（51）は瞬間的に屈曲し、したがって、保持タブ（51）が、矩形開口（58）の縁部によって保持されるようにその通常位置まで戻ることが可能になり、したがって、両方の管状結合部材の取り付けおよび固定が完了し、
雄型結合管状部材（50）の保持タブ（51）を押す手段のフランジ（59）は、保持タブ（51）の上面に向かって力を及ぼすことを可能にし、それによって、保持タブ（51）が押されて瞬間的に屈曲され、保持縁部（54）が矩形開口（58）の縁部から分離することが可能になり、したがって、雄型結合管状部材（50）が引っ張られて、雌型結合管状部材（55）の外側への雄型結合管状部材（50）の分離が実行され、
雌型結合管状部材（55）の細長い案内部材（C）は、雄型結合管状部材（50）の案内溝（図示せず）内に受け入れられ、それにより、保持タブ（51）が矩形開口（58）に関して正確に配置され、雄型結合管状部材（50）の第1の端部（D）の壁の1つの縁部が上記細長い案内部材（C）に当接するときに、管状結合部材の別の配置における取り付けを許容しない状態で、管状結合部材が正確な配置で接合されることが保証される。
【００２７】
図１０は本発明の第9の実施形態を示し、これは、長円形断面および長手方向軸を有する雄型結合管状部材（61）を備え、雄型結合管状部材（61）は、
第1の端部（66）と、第2の端部（67）と、第1の側壁（64）と、第2の側壁（65）と、第1の長手方向壁（62）と、第2の長手方向壁（63）と、第1の端部（66）に近接して第1の長手方向壁（62）内に形成され、雄型結合管状部材（61）の第2の端部（67）に向けられた保持タブ（68）であって、上記保持タブ（68）は、雄型結合管状部材（61）の長手方向軸に平行に向けられた長手方向軸を有する、保持タブ（68）と、保持縁部（69）とを有し、上記保持タブ（68）は、第1の長手方向壁（62）の表面から上方に向けられたある角度で持ち上げられている。上記雄型結合管状部材（61）は、第2の長手方向壁（63）の第1の端部（66）で始まる案内溝（F）をさらに含み、
雌型結合管状部材（70）が、長円形断面および長手方向軸を有し、雌型結合管状部材（70）は、第1の開放端（72）と、第2の閉鎖端（71）と、第1の側壁（73）および第2の側壁（74）と、第1の長手方向壁（77）と、第2の長手方向壁（78）と、第1の長手方向壁（77）内に形成された矩形開口と、雌型結合管状部材（70）の長手方向軸に平行な長手方向軸を有する、第1の長手方向壁（77）に直接的に依存し、開放端（72）に向けられているタブ（75）を含む、雄型結合部材（61）の保持タブ（68）を押圧する手段とを備え、上記タブ（75）は、上面と下面とを有し、上記下面は、上記矩形開口を通過することができる、矩形開口上に位置する突起（76）を有し、上記雌型結合管状部材（70）は、案内溝（F）と同等の長さを有する雌型結合管状部材（70）の第2の閉鎖端（71）で始まる案内突起（E）を有し、
雄型結合管状部材（61）が、その開放端（72）を通じて雌型結合管状部材（70）の内部に受け入れられると、保持縁部（69）が雌型結合管状部材（70）の矩形開口の縁部に達するまで、保持タブ（68）は瞬間的に屈曲し、保持タブ（68）が、矩形開口の縁部によって保持されるようにその通常位置まで戻ることが可能になり、したがって、両方の部材の取り付けおよび固定が完了し、
雌型結合管状部材（70）の案内突起（E）は、案内溝（F）内に受け入れられ、それにより、保持タブ（69）が矩形開口に関して正確に配置され、雄型結合管状部材（61）の第1の端部（66）の壁の1つの縁部が上記案内突起（E）に当接するときに、管状部材の別の配置における取り付けを許容しない状態で、管状結合部材が正確な配置で接合されることが保証され、
保持タブ（68）を押圧する手段のタブ（75）は、保持タブ（68）を瞬間的に屈曲させるために保持タブ（68）を押す突起（76）によって、保持タブ（68）の上面に向かって力を及ぼし、保持縁部（69）が矩形開口の縁部から分離することを可能にし、したがって、雄型結合管状部材（61）を引っ張って、雌型結合管状部材（70）の外側への雄型結合管状部材（61）の分離を実行する。
【００２８】
図１１は本発明の第10の実施形態を示し、これは、矩形断面および長手方向軸を有する雄型結合管状部材（79）を備え、雄型結合管状部材（79）は、
第1の端部（84）および第2の端部（85）と、第1の側壁（82）と、第2の側壁（83）と、第1の長手方向壁（80）および第2の長手方向壁（81）と、第1の端部（84）に近接して第1の長手方向壁（80）内に形成され、雄型結合管状部材（79）の第2の端部（85）に向けられた保持タブ（86）であって、上記保持タブ（68）は、雄型結合管状部材（79）の長手方向軸に平行に向けられた長手方向軸と、保持縁部（87）とを有する保持タブ（86）とを有し、上記保持タブ（86）は、第1の長手方向壁（80）の表面から上方に向けられたある角度で持ち上げられている。上記雄型結合管状部材（79）は、第2の長手方向壁（81）の第1の端部（84）で始まる案内溝（H）をさらに含み、
雌型結合管状部材（88）が、矩形断面および長手方向軸を有し、雌型結合管状部材（88）は、第1の開放端（93）と、第2の閉鎖端（92）と、第1の側壁（91）および第2の側壁（96）と、第1の長手方向壁（89）と、第2の長手方向壁（90）と、第1の長手方向壁（89）内に形成された矩形開口と、雌型結合管状部材（88）の長手方向軸に平行な長手方向軸を有する、第1の長手方向壁（89）に直接的に依存し、開放端（93）に向けられているタブ（94）を含む、雄型結合部材（79）の保持タブ（86）を押圧する手段とを備え、上記タブ（94）は、上面と下面とを有し、上記下面は、上記矩形開口を通過することができる、矩形開口上に位置する突起（95）を有し、上記雌型結合管状部材（88）は、案内溝（H）と同等の長さを有する雌型結合管状部材（88）の第2の閉鎖端（92）で始まる案内突起（G）を有し、
雄型結合管状部材（79）が、その開放端（93）を通じて雌型結合管状部材（88）の内部に受け入れられると、保持縁部（87）が雌型結合管状部材（88）の矩形開口の縁部に達するまで、保持タブ（86）は瞬間的に屈曲し、したがって、保持タブ（86）が、矩形開口の縁部によって保持されるようにその通常位置まで戻ることが可能になり、したがって、両方の部材の取り付けおよび固定が完了し、
雌型結合管状部材（88）の案内突起（G）は、案内溝（H）内に受け入れられ、それにより、保持タブ（86）が矩形開口に関して正確に配置され、雄型結合管状部材（79）の第1の端部（84）の壁の1つの縁部が上記案内突起（G）に当接するときに、管状部材の別の配置における取り付けを許容しない状態で、管状結合部材が正確な配置で接合されることが保証され、
保持タブ（86）を押圧する手段のタブ（94）は、保持タブ（86）を瞬間的に屈曲させるために保持タブ（86）を押す突起（95）によって、保持タブ（86）の上面に向かって力を及ぼし、保持縁部（87）が矩形開口の縁部から分離することを可能にし、したがって、雄型結合管状部材（79）を引っ張って、雌型結合管状部材（88）の外側への雄型結合管状部材（79）の分離を実行する。
【００２９】
最後に、本発明の解放可能な結合システムは、上記の実施形態に限定されず、当業者は、本明細書で確立された教示によって、本発明の真の範囲内に入る本発明の解放可能な結合システムの変更を可能にすることが理解されるべきである。本発明の範囲は、添付の特許請求の範囲によって排他的に確立される。
【図１】
2018520321.tif 000003
【図２】
2018520321.tif 000004
【図３】
2018520321.tif 000005
【図４】
2018520321.tif 000006
【図５】
2018520321.tif 000007
【図６】
2018520321.tif 000008
【図７】
2018520321.tif 000009
【図８】
2018520321.tif 000010
【図９】
2018520321.tif 000011
【図１０】
2018520321.tif 000012
【図１１】
2018520321.tif 000013
【国際調査報告】
2018520321.tif 000014
2018520321.tif 000015
2018520321.tif 000016
2018520321.tif 000017
2018520321.tif 000018
2018520321.tif 000019